(57)【要約】      （修正有）【課題】異なる周波数を音として出力することにより、パルス電流を用いることなく脳波をその周波数差の周波数に誘導する。【解決手段】制御部１０１は、基準周波数発生部１０２を操作部１００の操作情報に基づいて動作させ、干渉周波数発生部１０３を操作部１００の操作に応じて選択された周波数に定めてから動作させる処理を行う。出力部１０４は、基準周波数の信号を左右チャネルの一方のチャネルとして出力し、干渉周波数の信号を左右チャネルの他方のチャネルとして出力し、操作部１００の回転操作子３における音量操作に応じて基準周波数の音声信号と干渉周波数の音声信号の出力レベルを共通に可変する。【選択図】図３
2017029364.tif 000002
【特許請求の範囲】
【請求項１】
操作部と、
所定の基準周波数の出力を発生させる基準周波数発生部と、
前記基準周波数と異なる干渉周波数の出力を発生させる干渉周波数発生部と、
前記基準周波数の信号を左右チャネルの一方のチャネルの音声信号として出力し、前記干渉周波数の信号を左右チャネルの他方のチャネルの音声信号として出力する出力部と、
前記操作部における操作情報に基づいて前記基準周波数発生部と前記干渉周波数発生部を制御する制御部と、を備え、
前記出力部は前記操作部の音量操作に応じて前記基準周波数の音声信号と前記干渉周波数の音声信号の出力レベルを共通に可変し、
前記制御部は前記基準周波数発生部を前記操作部の操作情報に基づいて動作させ、前記干渉周波数発生部を前記操作部の操作に応じて選択された周波数に指定して動作させる
音源装置。
【請求項２】
前記操作部は、
動作のオン／オフ及び音量を操作する回転操作子と前記干渉周波数の値を設定する周波数設定操作子を有し、
前記制御部は前記回転操作子の操作に応じて前記基準周波数発生部及び前記干渉周波数発生部をオフ状態にしているとき、前記周波数設定操作子の操作に応じて前記干渉周波数の値を可変設定することが可能とされる
請求項１に記載の音源装置。
【請求項３】
さらにタイマ設定操作子を備え、
前記制御部は前記タイマ設定操作子で設定した停止タイミングで前記基準周波数発生部と前記干渉周波数発生部の信号出力を停止制御する
請求項１又は請求項２に記載の音源装置。
【請求項４】
前記出力部は前記設定した停止タイミングに近づくに従って前記基準周波数の音声信号と前記干渉周波数の音声信号の出力レベルを共通に可変設定する
請求項３に記載の音源装置。
【請求項５】
前記基準周波数が１５１Ｈｚであり、
前記干渉周波数が前記操作部の操作に応じて１３８Ｈｚ、１４１Ｈｚ、１４３Ｈｚ、１４５Ｈｚ、１４７Ｈｚから選択される
請求項１乃至請求項４のいずれかに記載の音源装置。
【発明の詳細な説明】
【技術分野】
【０００１】
本発明は、音源装置に関する。
【先行技術文献】
【特許文献】
【０００２】
【特許文献１】実用新案登録第３１１５３５３号公報
【特許文献２】実用新案登録第３１２９１８７号公報
【背景技術】
【０００３】
特許文献１、特許文献２には、ユーザの体を外から周波数の異なるパルス電流を流すことにより刺激し、脳波をその周波数差の周波数に誘導することができる脳波誘導装置が開示されている。
【発明の概要】
【発明が解決しようとする課題】
【０００４】
しかしながら、ユーザの体をパルス電流により刺激する方法については、電気刺激が苦手なユーザや電気刺激に抵抗を感じるユーザが少なからず存在した。
そこで、本発明は異なる周波数を音として出力することにより、パルス電流を用いることなく脳波をその周波数差の周波数に誘導することを目的とする。
【課題を解決するための手段】
【０００５】
本発明に係る音源装置は、操作部と、所定の基準周波数の出力を発生させる基準周波数発生部と、前記基準周波数と異なる干渉周波数の出力を発生させる干渉周波数発生部と、前記基準周波数の信号を左右チャネルの一方のチャネルの音声信号として出力し、前記干渉周波数の信号を左右チャネルの他方のチャネルの音声信号として出力する出力部と、前記操作部における操作情報に基づいて前記基準周波数発生部と前記干渉周波数発生部を制御する制御部と、を備え、前記出力部は前記操作部の音量操作に応じて前記基準周波数の音声信号と前記干渉周波数の音声信号の出力レベルを共通に可変し、前記制御部は前記基準周波数発生部を前記操作部の操作情報に基づいて動作させ、前記干渉周波数発生部を前記操作部の操作に応じて選択された周波数に指定して動作させるものである。
これにより、ユーザの両耳に周波数差を持たせた音声を与えることにより生じる周波数差をユーザの脳内で認識させ、脳波を当該周波数差に同調させることができ、また周波数の異なる基準周波数と干渉周波数が、略同音量の音声としてスピーカから出力されることとなる。
【０００６】
上記した音源装置においては、前記操作部は、動作のオン／オフ及び音量を操作する回転操作子と前記干渉周波数の値を設定する周波数設定操作子を有し、前記制御部は前記回転操作子の操作に応じて前記基準周波数発生部及び前記干渉周波数発生部をオフ状態にしているとき、前記周波数設定操作子の操作に応じて前記干渉周波数の値を可変設定することが可能とされることが望ましい。
これにより、ある音量による音声信号の出力中は干渉周波数の値が変更されることがなくなる。
【０００７】
上記した音源装置においては、さらにタイマ設定操作子を備え、前記制御部は前記タイマ設定操作子で設定した停止タイミングで前記基準周波数発生部と前記干渉周波数発生部の信号出力を停止制御することが望ましい。
これにより、タイマ設定操作子で設定した所定の時間が経過した後、基準周波数と干渉周波数の信号出力が停止される。
【０００８】
上記した音源装置においては、前記出力部は前記設定した停止タイミングに近づくに従って前記基準周波数の音声信号と前記干渉周波数の音声信号の出力レベルを共通に可変設定することが望ましい。
これにより、時間の経過とともに、出力される音声が徐々に小さくなり、タイマ設定操作子で設定した所定の時間が経過した後音声が停止される。
【０００９】
上記した音源装置においては、前記基準周波数が１５１Ｈｚであり、前記干渉周波数が前記操作部の操作に応じて１３８Ｈｚ、１４１Ｈｚ、１４３Ｈｚ、１４５Ｈｚ、１４７Ｈｚから選択されることが望ましい。
これにより、基準周波数１５１Ｈｚに対して干渉周波数１３８Ｈｚ、１４１Ｈｚ、１４３Ｈｚ、１４５Ｈｚ、１４７Ｈｚのいずれかの音声が出力され、周波数差である１３Ｈｚ、１０Ｈｚ、８Ｈｚ、６Ｈｚ、４Ｈｚに脳波を同調させることが可能となる。
【発明の効果】
【００１０】
本発明によれば、ユーザは使用目的に応じて干渉周波数を選択することによって自身の脳波を任意の周波数に同調させることにより、リラックス効果等の様々な効果を享受することができる。また、略同音量により音声が出力されることにより精度の高いバイノーラルビートを発生させることが可能となる。
【図面の簡単な説明】
【００１１】
【図１】実施の形態の音源装置の外観を示す概略図である。
【図２】実施の形態の回転操作子の概略図である。
【図３】実施の形態の音源装置の内部構成の概略的なブロック図である。
【図４】実施の形態の電源装置における出力部が音声信号をジャック部に出力する場合の要部回路図である。
【図５】実施の形態の音源装置の操作対応処理を示すフローチャートである。
【図６】実施の形態の実験結果の説明図である。
【発明を実施するための形態】
【００１２】
以下、本発明に係る音源装置の実施の形態について、次の順序で説明する。
＜１．音源装置の構造＞
＜２．音源装置の制御構成＞
＜３．制御部の処理＞
＜４．まとめ及び変形例＞
＜５．リラックス効果の実証結果＞
【００１３】
＜１．音源装置の構造＞
まず図１を参照して、本発明の実施の形態の音源装置１の構成を概略的に説明する。
図１は実施の形態の音源装置１の外観を示す概略図である。
図１に示す音源装置１は基準周波数と干渉周波数の信号を出力する装置であり、電源スイッチ２、回転操作子３、周波数設定操作子４、タイマ設定操作子５、表示部６、ジャック部７、ジャック部８が設けられている。
【００１４】
電源スイッチ２を操作することで音源装置１の電源のオン／オフが行われる。
【００１５】
図２は回転操作子３の概略図である。回転操作子３は目盛としてオン、オフ、音量レベル１〜１０が表示されており、回転操作子３をオンの位置まで回すことにより音声出力動作がオンとなり、その後任意の音量レベルの位置まで回すことにより出力音声は所望の音量に調整される。
【００１６】
図１に戻って、周波数設定操作子４を操作することにより干渉周波数を設定することができる。例えば基準周波数の値が１５１Ｈｚとされた場合、干渉周波数の値を１３８Ｈｚ、１４１Ｈｚ、１４３Ｈｚ、１４５Ｈｚ、１４７Ｈｚのいずれかに設定することが可能とされる。
【００１７】
タイマ設定操作子５はタイマとして所定の時間を設定することができ、例えば１５分、２０分、３０分等に設定することができる。
【００１８】
本実施の形態において、ヘッドフォン７０は音源装置１に対してプラグ７１をジャック部７に接続して用いられる。ヘッドフォン７０の一方のスピーカからは基準周波数である１５１Ｈｚの音声が出力され、もう一方のスピーカからは干渉周波数として１３８Ｈｚ、１４１Ｈｚ、１４３Ｈｚ、１４５Ｈｚ、１４７Ｈｚのいずれかの音声が出力される。これにより、いわゆるバイノーラルビートを発生させることが可能となる。
【００１９】
バイノーラルビートとは、例えばユーザの両耳の一方に１５１Ｈｚ、他方に１４１Ｈｚの周波数差を持たせた音声を与えることにより、この差である１０Ｈｚをユーザの脳内で認識させ、脳波を当該周波数差である１０Ｈｚに同調させることをいう。
【００２０】
本実施の形態は基準周波数１５１Ｈｚに対して干渉周波数１３８Ｈｚ、１４１Ｈｚ、１４３Ｈｚ、１４５Ｈｚ、１４７Ｈｚのいずれかの音声が出力されるため、周波数差である１３Ｈｚ、１０Ｈｚ、８Ｈｚ、６Ｈｚ、４Ｈｚに脳波を同調させることが可能となる。
【００２１】
ところで、脳波は１〜４０Ｈｚ程度の低い周波数成分を有し、脳波の周波数は人体に様々な影響を与える。
脳波において１３Ｈｚ、１０Ｈｚ、８Ｈｚの周波数はアルファ波と呼ばれている。脳波が１３Ｈｚの状態のときは集中力や記憶力が向上し、脳を活性化することができる。また脳波が１０Ｈｚの状態のときは脳内神経伝達物質セロトニンの生成を促進させることができ、リラックス効果が生まれストレス解消の効果がある。また８Ｈｚは地球の出力している微弱電波であるシューマン波に近似する周波数であり、脳波が８Ｈｚの状態のときは脳波が自然の状態に近づくため落ち着いた気持ちになり、リラックス効果が生まれる。
また６Ｈｚ、４Ｈｚの周波数はシータ波と呼ばれている。脳波が６Ｈｚの状態は脳波がアルファ波からシータ波に誘導される状態であり、瞑想状態となり、いわゆるひらめきや気づきが発生しやすくなる。また脳波が４Ｈｚの状態は脳波がシータ波からデルタ波に誘導される状態であり、スムーズに睡眠状態に移行することができ、不眠症の改善が期待できる。
従って、ユーザは使用目的に応じて音源装置１の干渉周波数を選択することによって自身の脳波を任意の脳波に同調させ、その結果、様々な効果を享受することができる。
【００２２】
尚、基準周波数は１５１Ｈｚに限られることはなく、例えばユーザの認識できない音域であってもよい。また干渉周波数も基準周波数との周波数差がアルファ波領域（８〜１３Ｈｚ）、シータ波領域（４〜７Ｈｚ）又はデルタ波領域（０．５〜４Ｈｚ）の領域内であればよく、特定の数値には限られない。
【００２３】
また、本実施の形態においては音声を出力する媒体としてヘッドフォン７０を用いたが、音声を出力する媒体はヘッドフォン７０に限られず、例えば室内に設置したスピーカ８０を用いてもよい。このため本実施の形態では、音源装置１にジャック部８を設け、ステレオスピーカシステム（スピーカ８０）を接続可能としている。
スピーカ８０はＬチャネルスピーカ８０ａ、Ｒチャネルスピーカ８０ｂ、プラグ８１を有している。スピーカ８０は音源装置１に対してプラグ８１をジャック部８に接続して用いられる。
こうして、音源装置１から、例えばＬチャネルスピーカ８０ａとＲチャネルスピーカ８０ｂの一方のチャネルスピーカからは基準周波数である１５１Ｈｚの音声が出力され、もう一方のチャネルスピーカからは干渉周波数として１３８Ｈｚ、１４１Ｈｚ、１４３Ｈｚ、１４５Ｈｚ、１４７Ｈｚのいずれかの音声が出力される。
これにより、室内全体が所定の周波数に誘導され、室内全体にバイノーラルビートを発生させることが可能となる。
【００２４】
＜２．音源装置の制御構成＞
次に本実施の形態に係る音源装置１の制御系の構成について説明する。図３は音源装置１の内部構成の概略的なブロック図である。
【００２５】
本実施の形態の音源装置１には、その制御構成を形成するものとして主に操作部１００、制御部１０１、基準周波数発生部１０２、干渉波周波数発生部１０３、出力部１０４、表示部６が設けられている。
【００２６】
操作部１００は回転操作子３、周波数発生操作子４、タイマ設定操作子５の操作情報を制御部１０１に供給する。
【００２７】
制御部１０１は操作部１００から供給された操作情報に基づいて基準周波数発生部１０２、干渉周波数発生部１０３、表示部６を制御する。
【００２８】
基準周波数発生部１０２は基準周波数を出力する。制御部１０１は、回転操作子３がオンの位置まで回転されたときに操作部１００から供給されるオン操作情報に基づいて基準周波数発生部１０２を制御する。即ち、１５１Ｈｚの基準周波数の出力を開始させる。
【００２９】
干渉周波数発生部１０３は干渉周波数１３８Ｈｚ、１４１Ｈｚ、１４３Ｈｚ、１４５Ｈｚ、１４７Ｈｚのうち周波数設定操作子４により選択されたいずれかの周波数を出力する。
制御部１０１は、回転操作子３がオンの位置まで回転されたときに操作部１００から供給されるオン操作情報に基づいて干渉周波数発生部１０３を制御する。即ち、オン操作情報に基づいて干渉周波数の出力を開始させる。
また制御部１０１は操作部１００から供給される周波数設定操作子４の操作情報に基づいて干渉周波数発生部１０３を制御する。即ち、干渉周波数の出力にあたり、周波数設定操作子４の操作情報に基づいて選択された所定の干渉周波数での出力を開始させる。
【００３０】
出力部１０４は基準周波数発生部１０２から出力される基準周波数の信号を左右チャネルの一方のチャネルの音声信号として出力し、干渉周波数発生部１０３から発生される干渉周波数の信号を左右チャネルの他方のチャネルの音声信号として出力する。
【００３１】
図４は実施の形態の電源装置１における出力部１０４が音声信号をジャック部７に出力する場合の要部回路図である。
【００３２】
出力部１０４は増幅回路２０１、２０２、第１可変抵抗器２０３、第２可変抵抗器２０４、ジャック部７を有し、ジャック部７はＬ端子７ａ、Ｒ端子７ｂ、グランド端子７ｃを有する。
【００３３】
増幅回路２０１、２０２は、基準周波数発生部１０２から出力される基準周波数の信号又は干渉周波数発生部１０３から出力される干渉波周波数の信号を増幅させる。
【００３４】
第１可変抵抗器２０３は抵抗端子２０３ａ、２０３ｂと回転操作子３の音量操作により音声信号の出力レベルを変化させる摺動端子２０３ｃを有する。抵抗端子２０３ａは増幅回路２０１によって増幅された出力信号が供給され、抵抗端子２０３ｂはコンデンサＣ１を介してグランドに接続されている。また摺動端子２０３ｃはジャック部７のＬ端子７ａに接続されている。
【００３５】
第２可変抵抗器２０４は抵抗端子２０４ａ、２０４ｂと回転操作子３の音量操作により音声信号の出力レベルを変化させる摺動端子２０４ｃを有する。抵抗端子２０４ａは増幅回路２０２によって増幅された出力信号が供給され、抵抗端子２０４ｂはコンデンサＣ２を介してグランドに接続されている。また摺動端子２０４ｃはジャック部７のＲ端子７ｂに接続されている。
【００３６】
第１可変抵抗器２０３と第２可変抵抗器２０４は２連ボリュームとして形成され、回転操作子３の音量操作により、基準周波数と干渉周波数の音声信号の出力レベルを共通に可変する。
【００３７】
このとき、基準周波数発生部１０２の出力信号はＬチャネルに導かれ、増幅回路２０１により増幅され第１可変抵抗器２０３の抵抗端子２０３ａに供給される。供給された信号は抵抗端子２０３ｃによって変化され、ジャック部７のＬ端子７ａに導かれる。また干渉周波数発生部１０３の出力信号はＲチャネルに導かれ、増幅回路２０２により増幅され第２可変抵抗器２０４の抵抗端子２０４ａに供給される。供給された信号は抵抗端子２０４ｃによって変化され、ジャック部７のＬ端子７ａに導かれる。
【００３８】
尚、本実施の形態においては、基準周波数発生部１０２の出力信号をＬチャネルに供給し、干渉周波数発生部１０３の出力信号をＲチャネルに供給したが、基準周波数発生部１０２の出力信号をＲチャネルに供給し、干渉周波数発生部１０３の出力信号をＬチャネルに供給してもよい。
【００３９】
また、本実施の形態においては基準周波数と干渉周波数の音声信号の出力レベル制御手段として２連ボリュームを用いたが、制御部１０１が操作部１００からの操作情報に基づいて出力部１０４を制御してもよい。この場合、制御部１０１は回転操作子３の音量操作情報も得るようにする。そして制御部１０１はその音量操作情報に応じて出力部１０４の音声信号の出力レベルを共通に可変制御する。
【００４０】
なお、ジャック部８については図４には示していないが、増幅回路２０１の出力はＬチャネルの信号としてジャック部８に供給され、増幅回路２０２の出力はＲチャネルの信号としてジャック部８に供給される。ジャック部８に対応しては、音量調整やインピーダンス整合のための回路系が設けられている。従って上述したスピーカ８０のプラグ８１が接続されることで、Ｌチャネルスピーカ８０ａとＲチャネルスピーカ８０ｂから基準周波数の音声と干渉周波数の音声が出力される状態となる。
【００４１】
図１に戻って、表示部６は基準周波数の値を表示する基準周波数表示部６ａと周波数設定操作子４により設定した干渉周波数の値を表示する干渉周波数表示部６ｂとタイマ設定操作子５により設定した所定の時間を表示させるタイマ表示部６ｃとを有している。
基準周波数表示部６ａは基準周波数の値が表示され、例えば基準周波数が１５１Ｈｚであれば基準周波数表示部６ａに「１５１」が表示される。
干渉周波数表示部６ｂは干渉周波数の値が表示される。操作部１００は周波数設定操作子４により設定された周波数値に応じた操作情報を制御部１０１に供給する。制御部１０１は供給された操作情報に基づいて干渉周波数表示部６ｂを制御する。即ち、干渉周波数表示部６ｂには周波数設定操作子４により設定された周波数値が表示され、例えば干渉周波数が１４１Ｈｚであれば干渉周波数表示部６ａに「１４１」が表示される。
タイマ表示部６ｃは所定の時間の値が表示される。操作部１００はタイマ設定操作子５の操作により設定された所定の時間の操作情報を制御部１０１に供給する。制御部１０１は供給された操作情報に基づいて内部タイマのタイムオーバ時間を設定し、タイマ表示部６ｃを制御する。即ち、タイマ表示部６ｃにはタイマ設定操作子５の操作により設定された所定の時間が表示され、例えば１５分であればタイマ表示部６ｃに「１５」が表示される。
【００４２】
＜３．制御部の処理＞
次に、本実施の形態に係る音源装置１の操作対応処理について説明する。図５は音源装置１の操作対応処理を示すフローチャートである。
【００４３】
操作対応処理として制御部１０１はステップＳ３０１〜Ｓ３０５で操作部１００から供給される情報を監視している。
ステップＳ３０１で制御部１０１は、回転操作子３がオンの位置まで操作されたか否かを監視する。
ステップＳ３０２で制御部１０１は、回転操作子３がオフの位置まで操作されたか否かを監視する。
ステップＳ３０３で制御部１０１は、内部タイマがタイマ設定操作子５により設定した停止タイミングになったか否かを確認する。
ステップＳ３０４で制御部１０１は、周波数設定操作子４が操作されたか否かを監視する。
ステップＳ３０５で制御部１０１は、タイマ設定操作子５が操作されたか否かを監視する。
制御部１０１は、特にこれらの情報を検知しない場合はステップＳ３０１に戻り同様の処理を繰り返す。
【００４４】
ステップＳ３０１において、制御部１０１は回転操作子３がオンの位置まで操作されたことを検知した場合、ステップＳ３０１からステップＳ３０６に処理を進め、基準周波数発生部１０２から基準周波数を出力させる処理を行う。
そしてステップＳ３０７で制御部１０１は周波数設定操作子４の操作による選択情報を取得し、ステップＳ３０８で干渉周波数発生部１０３から選択情報に基づいた干渉周波数を出力させる処理を行う。周波数設定操作子４の操作に応じた処理についてはステップＳ３０４にて後述する。
続いてステップＳ３０９で制御部１０１は内部タイマがタイマ設定操作子５の操作に基づいてタイマ設定されているか否かを確認する。ステップＳ３０９でタイマ設定がされていれば制御部１０１はステップＳ３１０で内部タイマのタイムカウントを開始する処理を行い、その後ステップＳ３０１に戻り同様の処理を繰り返す。ステップＳ３０９でタイマ設定がされたことを検知しなかった場合、制御部１０１はステップＳ３０１に戻り同様の処理を繰り返す。
尚、ステップＳ３０６の処理、ステップＳ３０７、Ｓ３０８の処理、ステップＳ３０９、Ｓ３１０の処理は、別の順番で行われてもよく、並列的に行われてもよい。
以下、制御部１０１は内部タイマが停止タイミングになるまで同様の処理を繰り返す。
【００４５】
ステップＳ３０２において、制御部１０１は回転操作子３がオフの位置まで操作されたことを検知した場合、制御部１０１はステップＳ３０２からステップＳ３１１に処理を進め、基準周波数発生部１０２からの基準周波数の信号の出力を停止させる処理を行う。
そしてステップＳ３１２で制御部１０１は干渉周波数発生部１０３からの干渉周波数の信号の出力を停止させる処理を行う。
続いて制御部１０１はステップＳ３１３でタイムカウントをクリアする処理を行い、内部タイマで設定した所定の時間をリセットする。その後ステップＳ３０１に戻り同様の処理を繰り返す。
尚、ステップＳ３１１の処理、ステップＳ３１２の処理、ステップＳ３１３の処理は、別の順番で行われてもよく、並列的に行われてもよい。
【００４６】
ステップＳ３０３において、制御部１０１がタイマ設定操作子５により設定した停止タイミングになったことを検知した場合、制御部１０１はステップＳ３０３からステップＳ３１１に処理を進め、以下ステップＳ３０２の場合と同様の処理を行う。つまり、設定されたタイマがタイムオーバになったときも音源装置１は動作を終了する。
【００４７】
ステップＳ３０４において、制御部１０１は周波数設定操作子４が操作されたことを検知した場合、ステップＳ３０４からステップＳ３１４に処理を進め、ステップＳ３１４で回転操作子３の操作に応じて基準周波数発生部１０２と干渉周波数発生部１０３がオフ状態であるか否かを確認する。
ステップＳ３１４で制御部１０１は基準周波数発生部１０２と干渉周波数発生部１０３がオフ状態であることを検知した場合、ステップＳ３１４からステップＳ３１５に処理を進め、ステップＳ３１５で周波数設定操作子４の操作によって選択された周波数情報を取得する処理を行う。
そしてステップＳ３１６で制御部１０１は取得した周波数情報に応じた数値を干渉周波数表示部６ｂに表示する処理を行い、その後ステップＳ３０１に戻り同様の処理を繰り返す。
ステップＳ３１４で基準周波数発生部１０２と干渉周波数発生部１０３がオフ状態であることを検知しなかった場合、制御部１０１はステップＳ３０１に戻り同様の処理を繰り返す。
【００４８】
ステップＳ３０５において、制御部１０１はタイマ設定操作子５が操作されたことを検知した場合、ステップＳ３０５からステップＳ３１７に処理を進め、ステップＳ３１７で制御部１０１はタイマ設定操作子５の操作によって選択された時間の値を内部タイマに設定する処理を行う。
そしてステップＳ３１８で制御部１０１は設定した時間の値に応じた数値をタイマ表示部６ｃに表示する処理を行い、その後ステップＳ３０１に戻り同様の処理を繰り返す。
ステップＳ３０５で制御部１０１はタイマ設定操作子５が操作されたことを検知しなかった場合、制御部１０１はステップＳ３０１に戻り同様の処理を繰り返す。
【００４９】
＜４．まとめ及び変形例＞
以上の実施の形態では、次のような効果が得られる。実施の形態の制御部１０１は、図３に示したような機能構成を採る。
【００５０】
制御部１０１は、基準周波数発生部１０２を操作部１００の操作情報に基づいて動作させ、干渉周波数発生部１０３を操作部１００の操作に応じて選択された周波数に定めてから動作させる処理（Ｓ３０１→Ｓ３０６〜Ｓ３１０）を行う。
出力部１０４は、基準周波数の信号を左右チャネルの一方のチャネルとして出力し、干渉周波数の信号を左右チャネルの他方のチャネルとして出力し、操作部１００の回転操作子３における音量操作に応じて基準周波数の音声信号と干渉周波数の音声信号の出力レベルを共通に可変する。
これにより、ユーザの両耳に周波数差を持たせた音声を与えることにより生じる周波数差をユーザの脳内で認識させ、脳波を当該周波数差に同調させることができ、また周波数の異なる基準周波数と干渉周波数が、略同音量の音声としてスピーカから出力されることとなる。
従って、略同音量により音声が出力されることにより精度の高いバイノーラルビートを発生させることが可能となる。
【００５１】
また、本実施の形態においては音声を出力する媒体としてヘッドフォン７０を用いたが、音声を出力する媒体はヘッドフォン７０に限られず、例えば室内に設置したスピーカ８０を用いてもよい。
これにより、室内全体が所定の周波数差の周波数に誘導され、室内全体にバイノーラルビートを発生させることが可能となる。
従って、室内にいるユーザ全員の脳波を所定の周波数差の周波数に同調させることができ、その結果より多くの人数にバイノーラルビートによる効果を享受させることができる。
【００５２】
また、操作部１００は、動作のオン／オフ及び音量を操作する回転操作子３と干渉周波数の値を設定する周波数設定操作子４を有し、制御部１００は回転操作子３の操作に応じて基準周波数発生部１０２及び干渉周波数発生部１０３をオフ状態にしているとき、周波数設定操作子４の操作に応じて干渉周波数の値を可変設定することが可能とされることが望ましい。
これにより、ある音量による音声信号の出力中は干渉周波数の値が変更されることがなくなり、ユーザの希望しない周波数の音声が出力されることを防止することができる。
その結果、ユーザの希望する状態に脳波をスムーズに移行させることが可能となり、リラックス効果や、睡眠促進作用等を促進を図ることができる。
【００５３】
また制御部１０１はタイマ設定操作子５で設定した停止タイミングで基準周波数発生部１０２と干渉周波数発生部１０３の信号出力を停止制御する処理を行うことができる（Ｓ３０４→Ｓ３１２〜Ｓ３１４）。  
これにより、タイマ設定操作子５で設定した所定の時間が経過した後、基準周波数と干渉周波数の信号出力が停止される。
従って、ユーザが音源装置１の使用中に寝てしまった場合等においても自然に動作が停止するため、音声がユーザの睡眠の妨げになることを防止し、さらには電力消費を削減することができる。
【００５４】
さらに出力部１０４は設定した停止タイミングに近づくに従って基準周波数の音声信号と干渉周波数の音声信号の出力レベルを共通に可変設定することもできる。
このとき、出力部１０４の音声信号の出力レベルの変更は制御部１０１が増幅回路２０１、２０２の出力レベルの増幅率を制御することにより行うことが適切である。
この場合、制御部１０１は内部タイマのカウント値が所定の値に達するごとに増幅回路２０１、２０２の出力レベルの増幅率を低下制御する処理を行う。制御部１０１は上記処理を内部タイマで設定したカウント値がタイムオーバになるまで繰り返す。
これにより、時間の経過とともに、出力される音声が徐々に小さくなり、タイマ設定操作子５で設定した所定の時間が経過した後音声が停止される。
従って、音声が徐々に小さくなっていくことでユーザが睡眠状態へ移行するのを妨げることがなくなり、ユーザの睡眠がより促進され不眠症の改善等が期待できる。
【００５５】
また音源装置１の使用にあたっては基準周波数が１５１Ｈｚであり、干渉周波数が操作部１００の操作に応じて１３８Ｈｚ、１４１Ｈｚ、１４３Ｈｚ、１４５Ｈｚ、１４７Ｈｚから選択されることが望ましい。
これにより、基準周波数１５１Ｈｚに対して干渉周波数１３８Ｈｚ、１４１Ｈｚ、１４３Ｈｚ、１４５Ｈｚ、１４７Ｈｚのいずれかの音声が出力され、周波数差である１３Ｈｚ、１０Ｈｚ、８Ｈｚ、６Ｈｚ、４Ｈｚに脳波を同調させることが可能となる。
脳波が１３Ｈｚの状態のときは集中力や記憶力が向上し、脳を活性化することができる。また脳波が１０Ｈｚの状態のときは脳内神経伝達物質セロトニンの生成を促進させることができ、リラックス効果が生まれストレス解消の効果がある。また８Ｈｚは地球の出力している微弱電波であるシューマン波に近似する周波数であり、脳波が８Ｈｚの状態のときは脳波が自然の状態に近づくため落ち着いた気持ちになり、リラックス効果が生まれる。また脳波が６Ｈｚの状態は脳波がアルファ波からシータ波に誘導される状態であり、瞑想状態となり、ひらめきや気づきが発生しやすくなる。また脳波が４Ｈｚの状態は脳波がシータ波からデルタ波に誘導される状態であり、スムーズに睡眠状態に移行することができ、不眠症の改善が期待できる。
【００５６】
＜５．リラックス効果の実証結果＞
次に、上述した音源装置１によるリラックス効果について、被験者の脳波を測定した結果を示す。
【００５７】
図６Ａ、Ｂは、音源装置１により発生される音声の周波数差が被験者のアルファ波誘導に与える影響を検証した結果を示している。
図中に示した−１〜＋２の値は、被験者の脳内に現れたアルファ波の強度を示しており、値が大きい程、強いアルファ波であることを示している。
【００５８】
まず、図６Ａは本実施の形態に係る音源装置１において出力部１０４から発せられた１５１Ｈｚの基準周波数と１４１Ｈｚの干渉周波数から生じた周波数差が１０Ｈｚの音声を被験者に聞かせる前と聞かせた後での脳波の違いを示している。
図６Ａから分かるように、周波数差が１０Ｈｚの音声を被験者に聞かせる前では、被験者の脳内にアルファ波が殆ど見られなかったが、周波数差が１０Ｈｚの音声を聞かせた後では、前頭部から頭頂部にかけてアルファ波が誘導されることが示された。
このことから、本実施の形態に係る第周波数差が１０Ｈｚの音声は、被験者の脳内にアルファ波を誘導できることが分かる。
【００５９】
次に、図６Ｂは本実施の形態に係る音源装置１において出力部１０４から発せられた１５１Ｈｚの基準周波数と１４７Ｈｚの干渉周波数から生じた周波数差が４Ｈｚの音声を被験者に聞かせる前と聞かせた後での脳波の違いを示している。
図６Ｂから分かるように、周波数差が４Ｈｚの音声を被験者に聞かせる前では、被験者の脳内にアルファ波が殆ど見られなかったが、周波数差が４Ｈｚの音声を聞かせた後では、前頭部から頭頂部にかけてアルファ波が誘導されることが示された。
着目すべき点として、周波数差が４Ｈｚの音声を聞かせたにも関わらず被験者の前頭部から頭頂部にかけて脳波がアルファ波に誘導されることが挙げられるが、これは、周波数差が４Ｈｚの音声により被験者の睡眠が促され、睡眠状態に移行する際にリラックス状態となった結果であると考えられる。
このことから、本実施の形態に係る周波数差が４Ｈｚの音声は、睡眠を促すと同時に被験者の脳内にアルファ波を誘導できることが分かる。
【００６０】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることはもちろんである。
【符号の説明】
【００６１】
１…音源装置
３…回転操作子
４…周波数設定操作子
５…タイマ設定操作子
１００…操作部
１０１…制御部
１０２…基準周波数発生部
１０３…干渉周波数発生部
１０４…出力部
【図１】
2017029364.tif 000003
【図２】
2017029364.tif 000004
【図３】
2017029364.tif 000005
【図４】
2017029364.tif 000006
【図５】
2017029364.tif 000007
【図６】
2017029364.tif 000008